(57)【要約】【課題】  より合理的に電波を受信することができる電子装置を得ること。【解決手段】  複数の電子制御系１１，１２，１３と、電波を受信するコイル５とを筐体２の内部に配置してなる電子装置において、電波の受信時に、その受信が成功しない場合は、当該受信時に作動している電子制御系のなかからノイズの発生源がコイルに最も近いものを停止して、電波の受信を再試行するようにした。電子制御系がノイズを発生していても、時間帯や場所といったその他の環境要因によって受信が可能となる場合には、その電子制御系を停止させずに受信を行うことが可能である。【選択図】図１
2008309557.tif 000002
【特許請求の範囲】
【請求項１】
複数の電子制御系と、電波を受信するコイルとを筐体の内部に配置してなる電子装置において、
前記電波の受信時に、その受信が成功しない場合は、当該受信時に作動している前記電子制御系のなかからノイズの発生源が前記コイルに最も近いものを停止して、前記電波の受信を再試行するようにしたことを特徴とする電子装置。
【発明の詳細な説明】
【技術分野】
【０００１】
本発明は、電波を受信するコイルを筐体の内部に配置してなる電子装置に関する。
【背景技術】
【０００２】
一般に、標準電波を受信して時刻を修正する電波修正時計が知られている。時計の筐体の内部には、時刻表示を行うための指針駆動手段や液晶表示手段等の電子制御系が配置され、電波を受信するコイルもまた、その筐体の内部に配置されている。電波の受信時に電子制御系が作動していると、受信電波に対するノイズを発生するため、その電子制御系を一旦停止させるという構成も知られている。特許文献１乃至４には、電波の受信時に指針駆動手段を停止する時計が開示されている。
【特許文献１】特開２００５−４９１５４号公報
【特許文献２】特開２００５−９８８５７号公報
【特許文献３】特開２００５−１８９０８４号公報
【特許文献４】特開２００５−３００２０４号公報
【発明の開示】
【発明が解決しようとする課題】
【０００３】
さて、前述したように電波の受信時に所定の電子制御系を停止する場合は、電波の受信の信頼性は確保されるものの、装置としての機能が制限されてしまう。電波の受信時における電子制御系の停止については、それを極力回避する構成が求められている。すなわち、電子制御系がノイズを発生していようとも、時間帯や場所といったその他の環境要因によって受信が可能となる場合には、その電子制御系を停止させずに受信を行うことが望ましい。本発明は、かかる事情に鑑みてなされたものであり、その目的は、より合理的に電波を受信することができる電子装置を得ることである。
【課題を解決するための手段】
【０００４】
本願第１請求項に記載した発明は、複数の電子制御系と、電波を受信するコイルとを筐体の内部に配置してなる電子装置において、前記電波の受信時に、その受信が成功しない場合は、当該受信時に作動している前記電子制御系のなかからノイズの発生源が前記コイルに最も近いものを停止して、前記電波の受信を再試行するようにした構成の電子装置である。
【発明の効果】
【０００５】
本発明の電子装置によれば、より合理的に電波を受信することができる。
【発明を実施するための最良の形態】
【０００６】
以下に、本発明の実施例を図面に基づいて詳細に説明する。図１に示す電子装置１は、当該装置を制御する制御部３と、操作部４と、複数の電子制御系１１，１２，１３と、電波を受信するコイル５とを筐体２の内部に配置してなる電波修正時計である。操作部４は、使用者が操作するスイッチ類であり、その一部は筐体２の外部に露呈されている。各電子制御系１１，１２，１３は、制御手段３によってそれぞれ個別に制御される系である。特に限定はしないが、本例においては、第１電子制御系１１が装飾体を駆動する駆動機構、第２電子制御系１２が液晶表示手段、第３電子制御系が指針を駆動する指針駆動手段となっている。また、各電子制御系１１，１２，１３は、定常的に作動されるものであって、筐体の内部においては、第１電子制御系１１、第２電子制御系１２、第３電子制御系１３の順に、ノイズの発生源がコイル５に近いものとなっている。電波に対するノイズの発生源としては、各種のものが考えられるが、本例においては、第１電子制御系１１であればモータ、第２電子制御系１２であれば液晶ディスプレイとする。
【０００７】
図２は、電波の受信時における制御を示すフローチャートである。本例の電子装置１は、標準電波を受信して時刻を修正するものであり、電波の受信時においては、第１電子制御系１１や第２電子制御系１２が発生するノイズの影響により、電波の受信がおぼつかなくなる場合が考えられる。そこで、受信が成功しない場合は、第１電子制御系１１、第２電子制御系１２を順次停止する。つまり、受信時に作動している電子制御系のなかからノイズの発生源がコイル５に最も近いものを停止して、電波の受信を再試行する構成となっている。
【０００８】
まず、電波の受信は、予定の時刻に発せられる信号又はスイッチ類の操作による信号を合図に開始される（ＳＴＥＰ１，ＳＴＥＰ２）。受信が成功すると（ＳＴＥＰ３）、そこで電波の受信は終了する（ＳＴＥＰ１１）。
【０００９】
ある程度時間が経過しても受信が成功しない場合は、第１電子制御系１１を停止して受信環境を改善し（ＳＴＥＰ４）、再度受信を試行する（ＳＴＥＰ５）。受信が成功すると（ＳＴＥＰ６）、そこで電波の受信は終了する（ＳＴＥＰ１１）。
【００１０】
更に、ある程度時間が経過しても受信が成功しない場合は、第２電子制御系１２を停止して受信環境を改善し（ＳＴＥＰ７）、再度受信を試行する（ＳＴＥＰ８）。受信が成功すると（ＳＴＥＰ９）、そこで電波の受信は終了する（ＳＴＥＰ１１）。
【００１１】
そして更に、ある程度時間が経過しても受信が成功しない場合は、電波の受信はエラーとして終了する（ＳＴＥＰ１０，ＳＴＥＰ１１）。
【００１２】
本例の構成によると。電波の受信時における電子制御系の停止を極力回避しつつ電波を受信することができる。かかる構成は、電子装置の多機能化に対応する構成として、非常に有効である。尚、本例における各部の構成は、特許請求の範囲に記載した技術的範囲において適宜に設計変更が可能であり、図例説明したものに限定されないことは勿論である。
【００１３】
例えば、第２電子制御系を停止しても受信が成功しない場合は、第３電子制御系を停止して再度受信を試行するように構成してもよい。
【００１４】
また、本例の各電子制御系は、定常的に作動するものとしたが、装飾体を駆動する第１電子制御系などは、所定のタイミングで作動するように構成してもよい。かかる場合においても、受信が成功しない場合は、受信時に作動している電子制御系のなかからノイズの発生源がコイルに最も近いものを停止する。すなわち、第１電子制御系が作動中であれば、これを停止し、第１電子制御系が作動中でなければ、第２電子制御系を停止する。
【産業上の利用可能性】
【００１５】
本発明の電子装置は、標準電波を受信する電波修正時計として好適に利用することが可能である。
【図面の簡単な説明】
【００１６】
【図１】本発明の実施例に係り、電子装置の説明図である。
【図２】本発明の実施例に係り、電波の受信時における制御を示すフローチャートである。
【符号の説明】
【００１７】
１    電子装置
２    筐体
３    制御部
４    操作部
５    コイル
１１    第１電子制御系
１２    第２電子制御系
１３    第３電子制御系
【図１】
2008309557.tif 000003
【図２】
2008309557.tif 000004